(57)【要約】【課題】本発明は、電動車の制御方法及び電動車を提供する。【解決手段】該方法は、電動車がロック解除状態及びモータ制御シールド状態にある場合、サイクリストが電動車に乗っていることを表示する第１の所定の情報を検出することと、電動車をモータ制御シールド状態からモータ制御シールド解除状態に切り替えるように制御することと、モータ制御シールド解除状態で所定の制御信号を受信することと、電動車のモータを所定の制御信号に応じた回転速度で回転させるように制御することと、を含む。本発明によれば、関連技術に存在する、電動車の制御方式の操作が複雑で、ユーザー体験が悪いという問題を解決する。【選択図】図１
2021513311.tif 000002
【特許請求の範囲】
【請求項１】
電動車がロック解除状態及びモータ制御シールド状態にある場合、サイクリストが前記電動車に乗っていることを表示す第１の所定の情報を検出することと、
前記電動車を前記モータ制御シールド状態からモータ制御シールド解除状態に切り替えるように制御することと、
前記モータ制御シールド解除状態で所定の制御信号を受信することと、
前記電動車のモータを前記所定の制御信号に応じた回転速度で回転させるように制御することと、を含むことを特徴とする、電動車の制御方法。
【請求項２】
前記第１の所定の情報を検出する前に、
前記電動車がロックされている場合、記憶された目標アカウントにマッチングする目標情報を検出すると、前記電動車をロック解除することをさらに含むことを特徴とする、請求項１に記載の方法。
【請求項３】
前記電動車をロック解除する前に、
前記電動車の第１の無線通信モジュールにより、第２の無線通信モジュールを有する目標装置が前記第２の無線通信モジュールによって送信した、前記第２の無線通信モジュールにバインディングされた参照アカウントのアカウント情報を携帯している入力信号を受信することと、
前記アカウント情報が前記目標情報であると決定した場合、前記目標情報を検出したと決定することと、をさらに含むことを特徴とする、請求項２に記載の方法。
【請求項４】
前記電動車をロック解除する前に、
前記電動車の検出モジュールにより所定の検出領域内の生体特徴情報を検出することと、
検出された前記生体特徴情報が前記目標情報であると決定した場合、前記目標情報を検出したと決定することと、をさらに含むことを特徴とする、請求項２に記載の方法。
【請求項５】
前記電動車をロック解除することは、
前記電動車をロック解除するように、前記電動車のスイッチ回路を用いて、前記電動車の電源が前記モータに電力を供給する給電回路を導通させることを含むことを特徴とする、請求項２に記載の方法。
【請求項６】
前記第１の所定の情報を検出する前に、
前記電動車がロック状態及びスタンド折り畳み状態にある場合、記憶された目標アカウントにマッチングする目標情報を検出すると、前記電動車をロック解除することをさらに含むことを特徴とする、請求項１に記載の方法。
【請求項７】
前記電動車がロック解除状態及び前記モータ制御シールド状態にある場合、前記第１の所定の情報を検出することは、
前記電動車がロック解除状態及び前記モータ制御シールド状態にある場合、前記電動車の所定の位置に取り付けられる目標センサにより、前記第１の所定の情報を検出することを含むことを特徴とする、請求項１に記載の方法。
【請求項８】
前記目標センサは、圧力センサ、赤外線センサ、気圧センサの少なくとも１つを含み、
前記第１の所定の情報は、前記所定の位置の荷重状態が所定の状態であることを表示し、前記所定の状態は、前記所定の位置の圧力が第１の目標閾値以上である状態、前記所定の位置の映像が目標映像を含む状態、前記所定の位置の気圧が第２の目標閾値以上である状態の少なくとも１つであり、
前記所定の位置は、前記電動車のシートの下方、前記電動車のペダルの上表面、前記電動車のハンドルの両側にあるロータリー・グリップの上表面、前記電動車のシートの前側の車体部分、前記電動車のタイヤの上表面、前記電動車のタイヤの内部、前記電動車の緩衝器の内部の少なくとも１つを含むことを特徴とする、請求項７に記載の方法。
【請求項９】
前記モータ制御シールド解除状態で前記所定の制御信号を受信することは、
前記モータ制御シールド解除状態で、前記電動車の速度制御部品を操作することで生成された前記所定の制御信号を受信することを含むことを特徴とする、請求項１に記載の方法。
【請求項１０】
前記電動車のモータを前記所定の制御信号に応じた回転速度で回転させるように制御した後、
前記電動車がロック解除状態及びモータ制御シールド解除状態にある場合、前記サイクリストが前記電動車から降りたことを表示する第２の所定の情報を検出することと、
前記電動車を前記モータ制御シールド解除状態から前記モータ制御シールド状態に切り替えるように制御することと、をさらに含むことを特徴とする請求項１に記載の方法。
【請求項１１】
前記電動車を前記モータ制御シールド解除状態から前記モータ制御シールド状態に切り替えるように制御した後、
前記電動車が連続的にロック解除状態、前記モータ制御シールド状態、車輪速度がゼロの状態及びスタンド立ち状態にある時間が目標時間閾値を超えた場合、前記電動車をロックすることをさらに含むことを特徴とする、請求項１０に記載の方法。
【請求項１２】
前記電動車を前記モータ制御シールド状態から前記モータ制御シールド解除状態に切り替えるように制御した後、
前記電動車の電動車状態表示灯を第１の表示状態から第２の表示状態に調整するように制御すること、及び／又は、前記電動車が発する提示音を第１の所定の提示音から第２の所定の提示音に調整するように制御することを含み、前記電動車状態表示灯が前記電動車のハンドルにおけるメーターの所在位置以外の位置に位置し、又は前記電動車状態表示灯が前記電動車のハンドルステムの上部に位置することを特徴とする、請求項１〜１１のいずれか一項に記載の方法。
【請求項１３】
前記電動車がロック解除状態及びモータ制御シールド状態にある場合、サイクリストが前記電動車に乗っていることを表示する第１の所定の情報を検出する第１の検出モジュールと、
前記電動車を前記モータ制御シールド状態からモータ制御シールド解除状態に切り替えるように制御する第１の制御モジュールと、
前記モータ制御シールド解除状態で所定の制御信号を受信する第１の受信モジュールと、
前記電動車のモータを前記所定の制御信号に応じた回転速度で回転させるように制御する第２の制御モジュールと、を含むことを特徴とする、電動車。
【請求項１４】
前記第１の予定の情報を検出する前に、前記電動車がロックされている場合、記憶された目標アカウントにマッチングする目標情報を検出すると、前記電動車をロック解除するロック解除モジュールをさらに含むことを特徴とする、請求項１３に記載の電動車。
【請求項１５】
前記電動車をロック解除する前に、前記電動車の第１の無線通信モジュールにより、第２の無線通信モジュールを有する目標装置が前記第２の無線通信モジュールによって送信した、前記第２の無線通信モジュールにバインディングされた参照アカウントのアカウント情報を携帯している入力信号を受信する第２の受信モジュールと、
前記アカウント情報が前記目標情報であると決定した場合、前記目標情報を検出したと決定する第１の決定モジュールと、をさらに含むことを特徴とする、請求項１４に記載の電動車。
【請求項１６】
前記電動車をロック解除する前に、前記電動車の検出モジュールにより所定の検出領域内の生体特徴情報を検出する第２の検出モジュールと、
検出された前記生体特徴情報が前記目標情報であると決定した場合、前記目標情報を検出したと決定する第２の決定モジュールと、をさらに含むことを特徴とする、請求項１４に記載の電動車。
【請求項１７】
前記ロック解除モジュールは、
前記電動車をロック解除するように、前記電動車のスイッチ回路を用いて、前記電動車の電源が前記モータに電力を供給する給電回路を導通させる導通モジュールを含むことを特徴とする、請求項１４に記載の電動車。
【請求項１８】
前記電動車がロック状態及びスタンド折り畳み状態にある場合、記憶された目標アカウントにマッチングする目標情報を検出すると、前記電動車をロック解除するロック解除モジュールをさらに含むことを特徴とする、請求項１３に記載の電動車。
【請求項１９】
前記第１の検出モジュールは、
前記電動車がロック解除状態及び前記モータ制御シールド状態にある場合、前記電動車の所定の位置に取り付けられる目標センサにより、前記第１の所定の情報を検出する検出ユニットを含むことを特徴とする、請求項１３に記載の電動車。
【請求項２０】
前記第１の受信モジュールは、
前記モータ制御シールド解除状態で、前記電動車の速度制御部品を操作することで生成された前記所定の制御信号を受信する受信ユニットを含むことを特徴とする、請求項１３に記載の電動車。
【請求項２１】
前記電動車のモータを前記所定の制御信号に応じた回転速度で回転させるように制御した後、前記電動車がロック解除状態及びモータ制御シールド解除状態にある場合、前記サイクリストが前記電動車から降りたことを表示する第２の所定の情報を検出する第３の検出モジュールと、
前記電動車を前記モータ制御シールド解除状態から前記モータ制御シールド状態に切り替えるように制御する第３の制御モジュールと、をさらに含むことを特徴とする、請求項１３に記載の電動車。
【請求項２２】
前記電動車を前記モータ制御シールド解除状態から前記モータ制御シールド状態に切り替えるように制御した後、前記電動車が連続的にロック解除状態、前記モータ制御シールド状態、車輪速度がゼロの状態及びスタンド立ち状態にある時間が目標時間閾値を超えた場合、前記電動車をロックするロックモジュールをさらに含むことを特徴とする、請求項２１に記載の電動車。
【請求項２３】
前記電動車を前記モータ制御シールド状態から前記モータ制御シールド解除状態に切り替えるように制御した後、前記電動車の電動車状態表示灯を第１の表示状態から第２の表示状態に調整するように制御する第４の制御モジュール、及び／又は、前記電動車が発する提示音を第１の所定の提示音から第２の所定の提示音に調整するように制御する第４の制御モジュールを含み、前記電動車状態表示灯が前記電動車のハンドルにおけるメーターの所在位置以外の位置に位置し、又は前記電動車状態表示灯が前記電動車のハンドルステムの上部に位置することを特徴とする、請求項１３〜２２のいずれか一項に記載の電動車。
【発明の詳細な説明】
【技術分野】
【０００１】
本発明は、通信の分野に関し、具体的には、電動車の制御方法及び電動車に関する。
【背景技術】
【０００２】
従来の電動車の操作方式は、以下のとおりである。
ステップ１、サイクリストは、まずリモコンを押して電動車をロック解除（盗難防止警報機能を解除）し、
ステップ２、サイクリストは、シートに座り、
ステップ３、サイクリストは、メカニカル・キーを挿入して電源スイッチをオンにし、
ステップ４、サイクリストは、Ｐギヤ（パーキング・ギヤ）・ボタンを押してスロットルのロータリー・グリップをロック解除し、
ステップ５、サイクリストは、スロットルのロータリー・グリップを回転させて正常に走行させ、
ステップ６、サイクリストは、目的地に到着した後、Ｐギヤ・ボタンを押してスロットルのロータリー・グリップをロックし、
ステップ７、サイクリストは、メカニカル・キーをねじて電源スイッチをオフにし、
ステップ８、サイクリストは、シートから降りて駐車し、
ステップ９、サイクリストは、リモコンを押して電動車をロックする（盗難防止警報機能を起動する。）。
これにより、関連技術に存在する、電動車の制御方式の操作が複雑で、ユーザー体験が悪いという問題が分かる。
【発明の概要】
【発明が解決しようとする課題】
【０００３】
本発明の実施例は、関連技術に存在する、電動車の制御方式の操作が複雑で、ユーザー体験が悪いという問題を少なくとも解決するために、電動車の制御方法及び電動車を提供する。
【課題を解決するための手段】
【０００４】
本発明の１つの実施例において、電動車がロック解除状態及びモータ制御シールド状態にある場合、サイクリストが電動車に乗っていることを表示する第１の所定の情報を検出することと、電動車をモータ制御シールド状態からモータ制御シールド解除状態に切り替えるように制御することと、モータ制御シールド解除状態で所定の制御信号を受信することと、電動車のモータを所定の制御信号に応じた回転速度で回転させるように制御することと、を含む電動車の制御方法を提供する。
【０００５】
好ましくは、第１の所定の情報を検出する前に、上記方法は、電動車がロック状態及びスタンド折り畳み状態にある場合、記憶された目標アカウントにマッチングする目標情報を検出すると、電動車をロック解除することをさらに含む。
【０００６】
好ましくは、電動車をロック解除する前に、上記方法は、電動車の第１の無線通信モジュールにより、第２の無線通信モジュールを有する目標装置が第２の無線通信モジュールによって送信した、第２の無線通信モジュールにバインディングされた参照アカウントのアカウント情報を携帯している入力信号を受信することと、アカウント情報が目標情報であると決定した場合、目標情報を検出したと決定することと、をさらに含む。
【０００７】
好ましくは、電動車をロック解除する前に、上記方法は、電動車の検出モジュールにより所定の検出領域内の生体特徴情報を検出することと、検出された生体特徴情報が目標情報であると決定した場合、目標情報を検出したと決定することと、をさらに含む。
【０００８】
好ましくは、電動車をロック解除することは、電動車のスイッチ回路を用いて、電動車の電源がモータに電力を供給する給電回路を導通させることにより、電動車にロック解除を行うことを含む。
【０００９】
好ましくは、第１の所定の情報を検出する前に、上記方法は、電動車がロック状態及びスタンド折り畳み状態にある場合、記憶された目標アカウントにマッチングする目標情報を検出すると、電動車をロック解除することをさらに含む。
【００１０】
好ましくは、電動車がロック解除状態及びモータ制御シールド状態にある場合、第１の所定の情報を検出することは、電動車がロック解除状態及びモータ制御シールド状態にある場合、電動車の所定の位置に取り付けられる目標センサにより、第１の所定の情報を検出することを含む。
【００１１】
好ましくは、目標センサは、圧力センサ、赤外線センサ、気圧センサの少なくとも１つを含み、第１の所定の情報は、所定の位置の荷重状態が所定の状態であることを表示し、所定の状態は、所定の位置の圧力が第１の目標閾値以上である状態、所定の位置の映像が目標映像を含む状態、所定の位置の気圧が第２の目標閾値以上である状態の少なくとも１つであり、所定の位置は、電動車のシートの下方、電動車のペダルの上表面、電動車のハンドルの両側にあるロータリー・グリップの上表面、電動車のシートの前側の車体部分、電動車のタイヤの上表面、電動車のタイヤの内部、電動車の緩衝器の内部の少なくとも１つである。
【００１２】
好ましくは、モータ制御シールド解除状態で所定の制御信号を受信することは、モータ制御シールド解除状態で、電動車の速度制御部品を操作することで生成された所定の制御信号を受信することを含む。
【００１３】
好ましくは、電動車のモータを所定の制御信号に応じた回転速度で回転させるように制御した後、上記方法は、電動車がロック解除状態及びモータ制御シールド解除状態にある場合、サイクリストが電動車から降りたことを表示する第２の所定の情報を検出することと、電動車をモータ制御シールド解除状態からモータ制御シールド状態に切り替えるように制御することと、をさらに含む。
【００１４】
好ましくは、電動車をモータ制御シールド解除状態からモータ制御シールド状態に切り替えるように制御した後、上記方法は、電動車が連続的にロック解除状態、モータ制御シールド状態、車輪速度がゼロの状態及びスタンド立ち状態にある時間が目標時間閾値を超えた場合、電動車をロックすることをさらに含む。
【００１５】
好ましくは、電動車をモータ制御シールド状態からモータ制御シールド解除状態に切り替えるように制御した後、上記方法は、電動車の電動車状態表示灯を第１の表示状態から第２の表示状態に調整するように制御すること、及び／又は、電動車が発する提示音を第１の所定の提示音から第２の所定の提示音に調整するように制御することを含み、電動車状態表示灯が電動車のハンドルにおけるメーターの所在位置以外の位置に位置し、又は電動車状態表示灯が電動車のハンドルステムの上部に位置する。
【００１６】
本発明の別の実施例において、電動車がロック解除状態及びモータ制御シールド状態にある場合、サイクリストが電動車に乗っていることを表示する第１の所定の情報を検出する第１の検出モジュールと、電動車をモータ制御シールド状態からモータ制御シールド解除状態に切り替えるように制御する第１の制御モジュールと、モータ制御シールド解除状態で所定の制御信号を受信する第１の受信モジュールと、電動車のモータを所定の制御信号に応じた回転速度で回転させるように制御する第２の制御モジュールと、を含む電動車を提供する。
【００１７】
好ましくは、上記電動車は、第１の予定の情報を検出する前に、電動車がロック状態及びスタンド折り畳み状態にある場合、記憶された目標アカウントにマッチングする目標情報を検出すると、電動車をロック解除するロック解除モジュールをさらに含む。
【００１８】
好ましくは、上記電動車は、電動車をロック解除する前に、電動車の第１の無線通信モジュールにより、第２の無線通信モジュールを有する目標装置が第２の無線通信モジュールによって送信した、第２の無線通信モジュールにバインディングされた参照アカウントのアカウント情報を携帯している入力信号を受信する第２の受信モジュールと、アカウント情報が目標情報であると決定した場合、目標情報を検出したと決定する第１の決定モジュールと、をさらに含む。
【００１９】
好ましくは、上記電動車は、電動車をロック解除する前に、電動車の検出モジュールにより所定の検出領域内の生体特徴情報を検出する第２の検出モジュールと、検出された生体特徴情報が目標情報であると決定した場合、目標情報を検出したと決定する第２の決定モジュールと、をさらに含む。
【００２０】
好ましくは、上記ロック解除モジュールは、電動車をロック解除するように、電動車のスイッチ回路を用いて、電動車の電源がモータに電力を供給する給電回路を導通させる導通モジュールを含む。
【００２１】
好ましくは、上記電動車は、電動車がロック状態及びスタンド折り畳み状態にある場合、記憶された目標アカウントにマッチングする目標情報を検出すると、電動車をロック解除するロック解除モジュールをさらに含む。
【００２２】
好ましくは、第１の検出モジュールは、電動車がロック解除状態及びモータ制御シールド状態にある場合、電動車の所定の位置に取り付けられる目標センサにより、第１の所定の情報を検出する検出ユニットを含む。
【００２３】
好ましくは、第１の受信モジュールは、モータ制御シールド解除状態で、電動車の速度制御部品を操作することで生成された所定の制御信号を受信する受信ユニットを含む。
【００２４】
好ましくは、上記電動車は、電動車のモータを所定の制御信号に応じた回転速度で回転させるように制御した後、電動車がロック解除状態及びモータ制御シールド解除状態にある場合、サイクリストが電動車から降りたことを表示する第２の所定の情報を検出する第３の検出モジュールと、電動車をモータ制御シールド解除状態からモータ制御シールド状態に切り替えるように制御する第３の制御モジュールと、をさらに含む。
【００２５】
好ましくは、上記電動車は、電動車をモータ制御シールド解除状態からモータ制御シールド状態に切り替えるように制御した後、電動車が連続的にロック解除状態、モータ制御シールド状態、車輪速度がゼロの状態及びスタンド立ち状態にある時間が目標時間閾値を超えた場合、電動車をロックするロックモジュールをさらに含む。
【００２６】
好ましくは、上記電動車は、電動車をモータ制御シールド状態からモータ制御シールド解除状態に切り替えるように制御した後、電動車の電動車状態表示灯を第１の表示状態から第２の表示状態に調整するように制御し、及び／又は、電動車が発する提示音を第１の所定の提示音から第２の所定の提示音に調整するように制御し、電動車状態表示灯が電動車のハンドルにおけるメーターの所在位置以外の位置に位置し、又は電動車状態表示灯が電動車のハンドルステムの上部に位置する第４の制御モジュールをさらに含む。
【発明の効果】
【００２７】
本発明により、電動車がロック解除状態及びモータ制御シールド状態にある場合、サイクリストが電動車に乗っていることを表示する第１の予定の情報を検出し、電動車をモータ制御シールド状態からモータ制御シールド解除状態に切り替える（速度制御部品の機能を活性化する）ように制御して、所定の制御信号によって電動車のモータの回転速度を制御し、電気自動車が正常に走行できるよう保証できる。電動車がロック解除状態及びモータ制御シールド状態にある時、サイクリストが電動車に乗っていることを表示する第１の所定の情報を検出するという方式で速度制御部品の機能を活性化するように制御するため、サイクリストが電動車に乗る時に、Ｐギヤ・ボタンを押して速度制御部品をロック解除する必要がなく、速度制御部品の機能を自動的に活性化し、電動車の制御ステップを簡略化する。そのため、関連技術に存在する、電動車の制御方式の操作が複雑で、ユーザー体験が悪いという問題を解決することができる。
【００２８】
ここで説明する図面は本発明を一層理解させるためのもので、本願の一部を構成し、本発明の例示的な実施例及びその説明は本発明を解釈するものであり、本発明を限定するものではない。
【図面の簡単な説明】
【００２９】
【図１】本発明の実施例に係る電動車の制御方法のフローチャートである。
【図２】関連技術における電源スイッチモジュールの模式図である。
【図３】関連技術におけるメカニカル・キー及びリモコンの模式図である。
【図４】関連技術におけるＰギヤ・ボタンの模式図である。
【図５】本発明の実施例に係る電動車の制御方法の模式図である。
【図６】本発明の実施例に係る電動車の構造ブロック図である。
【発明を実施するための形態】
【００３０】
以下、図面を参照しながら実施例を組み合わせて本発明を詳細に説明する。なお、本願における実施例と実施例における特徴は、矛盾しない限り、互いに組み合わせることができる。
【００３１】
なお、本発明の明細書、特許請求の範囲及び上記図面に用いられる「第１」、「第２」などの用語は、類似する対象を区別するためのもので、特定の順序又は前後順を限定するものではない。
【００３２】
（実施例１）
本願の実施例は、電動車の制御方法を提供する。図１は、本発明の実施例に係る電動車の制御方法のフローチャートである。図１に示すように、該フローは、
電動車がロック解除状態及びモータ制御シールド状態にある場合、サイクリストが電動車に乗っていることを表示する第１の所定の情報を検出するステップＳ１０２と、
電動車をモータ制御シールド状態からモータ制御シールド解除状態に切り替えるように制御するステップＳ１０４と、
モータ制御シールド解除状態で所定の制御信号を受信するステップＳ１０６と、
電動車のモータを所定の制御信号に応じた回転速度で回転させるように制御するステップＳ１０８と、を含む。
【００３３】
上記ステップにより、電動車がロック解除状態及びモータ制御シールド状態にある場合、サイクリストが電動車に乗っていることを表示する第１の予定の情報を検出し、電動車をモータ制御シールド状態からモータ制御シールド解除状態に切り替える（速度制御部品、例えばスロットルのロータリー・グリップの機能を活性化する）ように制御して、所定の制御信号によって電動車のモータの回転速度を制御し、電気自動車が正常に走行できるよう保証でき、関連技術に存在する、電動車の制御方式の操作が複雑で、ユーザー体験が悪いという問題を解決し、電動車を制御する操作フローを簡略化し、ユーザー体験を向上させることができる。
【００３４】
ステップＳ１０２において、電動車がロック解除状態及びモータ制御シールド状態にある場合、サイクリストが電動車に乗っていることを表示する第１の所定の情報を検出する。
【００３５】
好ましくは、電動車がロックされている場合、サイクリストは電動車を使用できない。したがって、電動車を使用するには、電動車をロック解除する必要がある。上記ロックとは、電動車の電源がモータに電力を供給する給電回路が遮断されることであり、上記ロック解除とは、電動車の電源がモータに電力を供給する給電回路が導通することである。
【００３６】
電動車には、一般的に、盗難防止警報機能（又は、警報機能）を備えた盗難防止警報器（又は、警報器）が取り付けられる。盗難防止警報器に対して、第１の電源によって給電してもよく、第１の電源とは異なる他の電源を用いて給電してもよい。リモコンにより盗難防止警報器の盗難防止警報機能をオン又はオフに制御できる。盗難防止警報器はセンサを内蔵でき、活性化された盗難防止警報器は、内蔵されたセンサにより、電動車がタッチされたことを検出した時に警報音を発し、盗難防止警報機能を実現できる。盗難防止警報器の盗難防止警報機能の活性化及び停止はリモコンにより行うことができる。
【００３７】
電動車をロック解除する前に、電動車の盗難防止警報器を停止させることができる。停止方式は、電動車が、リモコンにより送信された、盗難防止警報器の盗難防止警報機能をオフに制御する制御信号を受信して、盗難防止警報器の盗難防止警報機能をオフにする。
【００３８】
電動車は、電源スイッチを含むことができ、電動車のロック解除は、電動車の電源スイッチのメカニカル・キーを挿入して電源スイッチをオンにすることにより実現できる。
【００３９】
本発明の実施例において、電動車のロック解除操作フローを簡略化し、電動車のシステム・スペースを節約するために、第１の予定の情報を検出する前に、電動車がロックされている（又は、ロック状態及びスタンド折り畳み状態にある）場合、記憶された目標アカウントにマッチングする目標情報を検出すると、電動車をロック解除できる。
【００４０】
電動車のスタンドの状態は、折り畳み状態と立ち状態の二種類を有する。折り畳み状態とは、電動車のスタンドが機能していない状態（すなわち、電動車のスタンドが電動車を支持していない状態）である。立ち状態とは、電動車のスタンドが機能している状態（すなわち、電動車のスタンドが電動車を支持している状態）である。電動車のスタンドは、片足タイプのスタンドであってもよく、両足タイプのスタンドであってもよい。
【００４１】
電動車は、電源スイッチの代わりに、電動車の目標部品に集積されかつ第１の電源により給電される電気制御部品を用いてもよい。電動車がロックされている場合、電動車は低消費電力状態にあり、第１の電源は電気制御部品に給電し、盗難防止警報器も正常に動作できる。電気制御部品において目標アカウントにマッチングする目標情報を記憶できる。記憶された目標アカウントにマッチングする目標情報を検出したとき、電気制御部品により電動車をロック解除できる。好ましくは、第１の電源は、出力電圧が小さい１つ又は１セットの電池、例えば、単三電池、ボタン型電池、１８６５０型充電電池であってよい。
【００４２】
好ましくは、電気制御部品は、さらに盗難防止警報器のオン/オフを制御してもよい。例えば、記憶された目標アカウントにマッチングする目標情報を検出したとき、電気制御部品は盗難防止警報器をオフに制御する。
【００４３】
本発明の実施例の上記技術手段により、サイクリストがリモコンを再操作して盗難防止警報器をオフにする必要がないため、操作ステップを簡略化する。
【００４４】
上記電気制御部品を集積した目標部品は、電動車の任意の位置における部品、例えば、ダッシュボード、スロットルのロータリー・グリップ、シート、シート下収納ボックス、組み合わせスイッチ、バックミラー、前/後ランプ、スタンドであってよい。好ましくは、ユーザー操作を容易にするために、上記目標部品は、電動車のダッシュボードであってよい。
【００４５】
電動車をロック解除する前に、記憶された目標アカウントにマッチングする目標情報を様々な方式で検出できる。
【００４６】
代替の実施形態として、電動車をロック解除する前に、電動車の第１の無線通信モジュールにより、第２の無線通信モジュールを有する目標装置が第２の無線通信モジュールによって送信した、第２の無線通信モジュールにバインディングされた参照アカウントのアカウント情報を携帯している入力信号を受信できる。アカウント情報が目標情報であると決定した場合、目標情報を検出したと決定する。
【００４７】
第１の無線通信モジュールと第２の無線通信モジュールは、無線通信方式により相互作用を行うことができ、ＮＦＣ（ＮｅａｒＦｉｅｌｄ Ｃｏｍｍｕｎｉｃａｔｉｏｎ、近距離通信）モジュール、ブルートゥース（登録商標）、ＰＫＥ（Ｐｕｂｌｉｃ Ｋｅｙ Ｅｎｃｒｙｐｔｉｏｎ、公開鍵暗号化）モジュール、ｗｉ−ｆｉ（Ｗｉｒｅｌｅｓｓ  Ｆｉｄｅｌｉｔｙ、無線フィデリティ）モジュール、ＺｉｇＢｅｅ（ジグビープロトコル）モジュール、ＵＷＢ（Ｕｌｔｒａ Ｗｉｄｅｂａｎｄ、超広帯域）モジュール、４３３Ｍ無線アドホックネットワークモジュールなどの少なくとも１つを含むが、それらに限定されない。
【００４８】
例えば、電気制御部品は、ＮＦＣモジュールを含むことができ、該ＮＦＣモジュールにマッチングする電動車カード（実体カード又は仮想カード）は電動車の購入時に一緒にユーザーに提供できる。ユーザーは、ＮＦＣ機能を備えたモバイル装置（例えば、携帯電話）に該カードの情報（例えば、該ユーザーカードを一意に識別するカード番号情報）を追加できる。このようにして、ユーザーは該モバイル装置を用いて電動車をロック解除できる。
【００４９】
電動車のＮＦＣモジュールがモバイル装置のＮＦＣモジュールから送信された無線信号を受信したとき、該無線信号に携帯されているカード番号情報が本ＮＦＣモジュールにマッチングするか否かを判断できる。マッチングする場合、電動車をロック解除するように制御する。
【００５０】
例えば、電子制御部品はブルートゥース（登録商標）であってよい。ユーザーは、ブルートゥース（登録商標）を有するモバイル装置（例えば、携帯電話）で電動車のブルートゥース（登録商標）とペアリングできる。ペアリングが成功した後、ユーザーは、ペアリングされた２つのブルートゥース（登録商標）を接続する方式で電動車をロック解除できる。
【００５１】
電動車のブルートゥース（登録商標）がモバイル装置のブルートゥース（登録商標）から送信された無線信号を受信するとき、該無線信号に携帯されている装置情報が本ブルートゥース（登録商標）の装置情報にマッチングするか否かを判断できる。マッチングする場合、電動車をロック解除するように制御する。
【００５２】
他の無線通信モジュール（例えば、ＰＫＥモジュール、ｗｉ−ｆｉモジュール、ＺｉｇＢｅｅモジュール、ＵＷＢモジュール、４３３Ｍ無線アドホックネットワークモジュール）はＮＦＣモジュール又はブルートゥース（登録商標）のロック解除方式に類似し、ここでは説明を省略する。
【００５３】
別の代替の実施形態として、電動車をロック解除する前に、電動車の検出モジュールにより所定の検出領域内の生体特徴情報を検出できる、検出された生体特徴情報が目標情報であると決定した場合、目標情報を検出したと決定することと、をさらに含む。
【００５４】
上記生体特徴情報は、指紋、顔、音声などの少なくとも１つを含むことができる。上記検出モジュールは、指紋を検出する指紋検出モジュール（タッチ領域を含む）、顔を検出する顔検出モジュール（カメラを含む）、音声を検出する音声検出モジュール（マイクロフォンを含む）の少なくとも１つを含むことができる。
【００５５】
例えば、検出モジュールを用いて指紋、顔及び／又は音声を入力し、かつ電動車に記憶できる。上記音声は、特定の音声、例えば、「ロック解除」であってよく、異なる音声を区別する特徴（例えば、音色）及び前記内容を検出することにより目標情報を検出したか否かを判断できる。
【００５６】
本発明の実施例の上記技術手段により、目標部品に集積された無線通信モジュール又は検出モジュールによって目標特徴を取得する方式とメカニカル・キーを取り替えて電動車のロック解除を行い、サイクリストがメカニカル・キーを身に付ける必要がなく、ユーザーの操作体験を向上させる。また、電源スイッチを取り付ける必要がなくなるため、電動車は電源スイッチのためのスペースを確保する必要もなくなり、電動車の構造の簡潔性を向上させる。
【００５７】
本発明の実施例において、電動車をロック解除することは、電動車のスイッチ回路を用いて、電動車の電源がモータに電力を供給する給電回路を導通させることにより、電動車をロック解除することを含む。
【００５８】
電動車は、電気制御部品に接続できる（直接的に接続されるか又は間接的に接続される）スイッチ回路をさらに含むことができる。電気制御部品が記憶された目標アカウントにマッチングする目標情報を検出すると、制御信号（例えば、ハイレベル信号）を生成し、かつ該制御信号を電動車のスイッチ回路に作用させて、スイッチ回路を用いて電動車の電源がモータに電力を供給する給電回路を導通させることにより、電動車をロック解除する。
【００５９】
上記スイッチ回路は、トランジスタ（例えば、スイッチングトランジスタ）、電界効果トランジスタ又は電磁リレーを含むことができ、トランジスタのベース電極、電界効果トランジスタのゲート電極又は電磁リレーのトリガーピンに制御信号を提供することによって、トランジスタのコレクタ電極とエミッタ電極との間の電流、電界効果トランジスタのソース電極とドレイン電極との間の電流又は電磁リレーの共通端と常時開放端との間の電流を制御して、給電回路を導通させる。
【００６０】
好ましくは、スイッチ回路は、トランジスタを含み、トランジスタのベース電極が、電気制御部品に接続され、かつ電気制御部品の制御下で、トランジスタのコレクタ電極とエミッタ電極との間の電流を調整することにより給電回路を導通させるために用いられる。
【００６１】
好ましくは、スイッチ回路は、電界効果トランジスタを含み、電界効果トランジスタのゲート電極が、電気制御部品に接続され、かつ電気制御部品の制御下で、電界効果トランジスタのソース電極とドレイン電極との間の電流を調整することにより給電回路を導通させるために用いられる。
【００６２】
好ましくは、スイッチ回路は、電磁リレーを含み、電磁リレーのトリガーピンが、電気制御部品に接続され、かつ電気制御部品の制御下で、電磁リレーの共通端と常時開放端との間の電流を調整することにより給電回路を導通させるために用いられる。
【００６３】
本発明の実施例の上記技術手段により、スイッチ回路を用いて電動車の電源がモータに電力を供給する給電回路を導通させることができ、実現手段が簡単であり、電動車の生産コストを節約できる。
【００６４】
本発明の実施例において、電動車がロック解除状態及びモータ制御シールド状態にある場合、第１の所定の情報を検出することは、電動車がロック解除状態及びモータ制御シールド状態にある場合、電動車の所定の位置に取り付けられる目標センサにより、第１の所定の情報を検出することを含む。
【００６５】
電動車の所定の位置に、第１の所定の情報を検出する目標センサとコントローラ（例えば、ＣＰＵチップ）を取り付けることができる。サイクリストが電動車に乗っていることを表示する第１の所定の情報を上記コントローラへ送信する。上記コントローラは、第１の所定の情報を受信し、かつ電動車がロック解除状態及びモータ制御シールド状態にある場合、第１の所定の情報に応答し、電動車をモータ制御シールド状態からモータ制御シールド解除状態に切り替えるように制御する。
【００６６】
上記目標センサは、所定のタイプの目標情報を検出し、かつ目標情報をコントローラへ伝送し、コントローラにより目標情報が第１の所定の情報であるか否かを判断する。
好ましくは、サイクリストが電動車に乗っていることは、サイクリストが電動車に座った後に明らかに変化するパラメータで表すことができる。例えば、圧力、映像、気圧などである。目標センサは、圧力センサ、赤外線センサ、気圧センサの少なくとも１つを含む。
【００６７】
好ましくは、第１の所定の情報は、所定の位置の荷重状態が所定の状態であることを表示し、所定の状態は、所定の位置の圧力が第１の目標閾値以上である状態、所定の位置の映像が目標映像を含む状態、所定の位置の気圧が第２の目標閾値以上である状態の少なくとも１つである。
【００６８】
好ましくは、所定の位置は、電動車のシートの下方、電動車のペダルの上表面、電動車のハンドルの両側にあるロータリー・グリップの上表面、電動車のシートの前側の車体部分、電動車のタイヤの上表面、電動車のタイヤの内部、電動車の緩衝器の内部の少なくとも１つである。
【００６９】
所定の状態は、電動車のシートの押圧力が目標圧力値以上である状態、電動車のペダルの踏み頻度が目標頻度以上である状態、映像の中間領域が人の映像を含む状態、電動車のタイヤのタイヤ空気圧値が目標タイヤ空気圧値以上である状態の少なくとも１つである。
【００７０】
例えば、サイクリストが電動車に座った後、電動車のシートが受ける圧力が大きくなり、シートの下方に設けられる圧力センサによりシートに作用する押圧力が目標圧力値以上であることを検出した場合、サイクリストが電動車に乗っていると決定できる。
【００７１】
また例えば、サイクリストが電動車に座った後、電動車の赤外線センサにより所定の検出領域（シートの上方領域を含む赤外線センサの検出領域）の中間領域が人の映像を含むことを検出した場合、サイクリストが電動車に乗っていると決定できる。
【００７２】
本発明の実施例の上記技術手段により、電動車がロック解除状態且つモータ制御シールド状態にある場合、第１の予定の情報を検出すると、サイクリストが電動車に乗っていると決定し、電動車をモータ制御シールド状態からモータ制御シールド解除状態に切り替え、このように速度制御部品の機能を活性化するユーザー操作を必要とせず、操作フローを簡略化し、ユーザー体験がよく、ユーザー体験を向上させる。
【００７３】
ステップＳ１０４において、電動車をモータ制御シールド状態からモータ制御シールド解除状態に切り替えるように制御する。
【００７４】
モータ制御シールド状態とは、速度制御部品（例えば、スロットルのロータリー・グリップ）により生成された、モータを制御するモータ制御信号をシールドする（速度制御部品によりモータを制御することができない）ことである。このとき、電動車のコントローラは、モータ制御信号（例えば、速度制御部品を操作することにより生成されたモータ制御信号）を受信できるが、該モータ制御信号をシールドするため、速度制御部品を操作することによりモータの回転を制御できない。
【００７５】
モータ制御シールド解除状態とは、速度制御部品（例えば、スロットルのロータリー・グリップ）により生成された、モータを制御するモータ制御信号のシールドを解除する（速度制御部品によりモータを制御できる）ことである。このとき、電動車の制御モジュールは、モータ制御信号（例えば、速度制御部品を操作することにより生成されたモータ制御信号）を受信し、かつ該モータ制御信号に基づいてモータの回転速度を制御できる。
【００７６】
好ましくは、電動車をモータ制御シールド状態からモータ制御シールド解除状態に切り替えるように制御した後、電動車の電動車状態表示灯を第１の表示状態から第２の表示状態に調整するように制御でき、及び／又は、電動車が発する提示音を第１の所定の提示音から第２の所定の提示音に調整するように制御でき、電動車状態表示灯が電動車のハンドルにおけるメーターの所在位置以外の位置に位置し、又は電動車状態表示灯が電動車のハンドルステムの上部に位置する。
【００７７】
電動車がモータ制御シールド状態にあるとき、電動車は電動車の速度制御部品により入力されたモータ制御信号をシールドし、これは、該電動車が待機状態に入る（すなわち、電動車が通電状態にあるが、速度制御部品が停止状態にあり、正常に走行できない）ことを表す。この場合、電動車の電動車状態表示灯を点灯させるように制御し、及び／又は、電動車に音声を発させるように制御することにより現在の状態を表示でき、例えば、電動車の電動車状態表示灯に常時点灯させかつ黄色光を発させるように制御し、かつ電動車に「ブーンブーン」という音を発させるように制御できる。
【００７８】
電動車がモータ制御シールド解除状態にあるとき、電動車は電動車の速度制御部品により入力されたモータ制御信号に応答でき、これは、該電動車が正常な走行状態に入り、正常に走行可能であることを表す。この場合、電動車の電動車状態表示灯を点灯させるように制御し、及び／又は、電動車に音声を発させるように制御することにより現在の状態を表示でき、例えば、電動車の表示灯に常時点灯させかつ白色光を短く発させるように制御し、かつ電動車に「ブーン」という音を発させるように制御できる。
【００７９】
なお、電動車の異なる状態は、電動車状態表示灯の異なる表示方式と電動車が発する異なる音声とを組み合わせることにより表示でき、非強制的には、電動車の異なる状態は、電動車状態表示灯の異なる表示方式のみ又は電動車が発する異なる音声のみにより表示できる。
【００８０】
好ましくは、電動車状態表示灯は、電動車のハンドルの内側、電動車のハンドルの外側、ハンドルの内側と電動車のハンドルの中間位置にあるメーターとの間の位置の少なくとも１つの位置に存在する。
【００８１】
好ましくは、電動車状態表示灯の数は、１つ以上であってよい。
【００８２】
好ましくは、電動車状態表示灯は、環状表示灯、半環状表示灯、ドットマトリクス型表示灯、長尺状表示灯を含むことができる。
【００８３】
好ましくは、電動車状態表示灯の表示方式は、表示灯の表示色、電動車状態表示灯が複数である場合の電動車状態表示灯の表示数量、電動車状態表示灯の表示形状の少なくとも１つを含む。
【００８４】
ステップＳ１０６において、モータ制御シールド解除状態で所定の制御信号を受信する。
【００８５】
電動車がモータ制御シールド解除状態にある場合、電動車の速度制御部品を操作することにより生成された、モータを回転させるように制御する所定の制御信号を受信できる。
好ましくは、モータ制御シールド解除状態で、電動車の速度制御部品を操作することにより生成された所定の制御信号を受信する。
【００８６】
本発明の実施例の上記技術手段により、速度制御部品により所定の制御信号を生成し、簡単で迅速であって、ユーザーの操作習慣に合致する。
【００８７】
ステップＳ１０８において、電動車のモータを所定の制御信号に応じた回転速度で回転させるように制御する。
【００８８】
所定の制御信号を受信した後、電動車のコントローラは、該所定の制御信号に対応するモータの回転速度を決定できる。例えば、スロットルのロータリー・グリップの回転する回数（１／３回転、１／２回転）により所定の制御信号を生成でき、回転する回数が多いほど、所定の制御信号に応じたモータの回転速度が大きくなる。
【００８９】
本発明の実施例において、電動車のモータを所定の制御信号に応じた回転速度で回転させるように制御した後、電動車がロック解除状態及びモータ制御シールド解除状態にある場合、サイクリストが電動車から降りたことを表示する第２の所定の情報を検出できる。電動車をモータ制御シールド解除状態からモータ制御シールド状態に切り替えるように制御する。
【００９０】
電動車がロック解除状態及びモータ制御シールド解除状態にあるとき、電動車の所定の位置に取り付けられる目標センサにより、第２の所定の情報を検出できる。
【００９１】
ここでの所定の位置及び目標センサは前述と類似するため、ここでは説明を省略する。
第２の所定信号は、サイクリストが電動車から降りたことを表示する。サイクリストが電動車から降りたことは、サイクリストが電動車から降りた後に明らかに変化するパラメータを検出することにより表すことができる。
【００９２】
好ましくは、第２の所定の情報は、所定の位置の荷重状態が非所定状態であることを表示し、所定の状態は前述と類似するため、ここでは説明を省略する。
【００９３】
非所定状態は、電動車のシートの押圧力が目標圧力値より小さい状態、電動車のペダルの踏み頻度が目標頻度より小さい状態、映像の中間領域が人の映像を含まない状態、電動車のタイヤのタイヤ空気圧値が目標タイヤ空気圧値より小さい状態の少なくとも１つである。
【００９４】
例えば、サイクリストが電動車から降りた後、電動車のシートが受ける圧力が小さくなり、シートの下方に設けられる圧力センサによりシートに作用する押圧力が目標圧力値より小さいことを検出した場合、サイクリストが電動車から降りたと決定できる。
【００９５】
また例えば、サイクリストが電動車から降りた後、電動車の赤外線センサにより所定の検出領域（シートの上方領域を含む赤外線センサの検出領域）内に人の映像を検出していない場合、サイクリストが電動車から降りたと決定できる。
【００９６】
本発明の実施例の上記技術手段により、サイクリストが電動車から降り次第に速度制御部品を自動的にロックし、Ｐギヤ・ボタンを押すことで速度制御部品をロックする必要がなく、電動車の制御ステップを簡略化する。
【００９７】
本発明の実施例において、電動車をモータ制御シールド解除状態からモータ制御シールド状態に切り替えるように制御した後、電動車が連続的にロック解除状態、モータ制御シールド状態、車輪速度がゼロの状態及びスタンド立ち状態にある時間が目標時間閾値を超えた場合、電動車をロックする。
【００９８】
電動車が連続的にロック解除状態、モータ制御シールド状態、車輪速度がゼロの状態であるとき、メカニカル・キーを用いて電源スイッチを回転させる方式で電動車をロックできる。
【００９９】
本発明の実施例において、電動車のロック操作フローを簡略化するために、電動車が連続的にロック解除状態、モータ制御シールド状態、回転速度がゼロでありかつスタンド立ち状態にある時間が目標時間閾値（例えば、３ｓ、５ｓ）を超える場合、電動車をロックできる。
【０１００】
スタンドの状態により、ロック解除状態、モータ制御シールド状態、回転速度がゼロであることを検出する操作を実行するようにトリガできる。電動車のスタンドが立った場合、電動車が連続的にロック解除状態、モータ制御シールド状態、回転速度がゼロである時間が目標時間閾値を超えたことを検出すると、電動車をロックする。電動車のスタンドが折り畳まれると、電動車がロック解除状態、モータ制御シールド状態、回転速度がゼロである状態にあっても、電動車をロックしない。電動車の折り畳み及び立ちは、スタンドに設けられるホールセンサにより検出できる。
【０１０１】
例えば、電動車が特定のシーンにある（例えば、エレベータ内に位置する）場合、電動車のスタンドが折り畳まれ、電動車がロック解除、モータ制御シールド（人が電動車の座席から降りた）、車輪速度がゼロである（電動車の車輪が回転しない）状態にあるが、電動車をロックしない。
【０１０２】
電動車のスイッチ回路を用いて、電動車の電源がモータに電力を供給する給電回路を遮断することにより、電動車をロックできる。電動車が連続的にロック解除状態、モータ制御シールド状態、回転速度がゼロである時間が目標時間閾値を超えた場合、電気制御部品が制御信号（例えば、ローレベル信号）を生成し、かつ該制御信号を電動車のスイッチ回路に作用させて、スイッチ回路を用いて給電回路を遮断することにより、電動車をロックできる。
【０１０３】
上記スイッチ回路において、スイッチングトランジスタ、電界効果トランジスタ、電磁リレーの少なくとも１つを含むことができ、スイッチングトランジスタのベース電極、電界効果トランジスタのゲート電極又は電磁リレーのトリガーピンに制御信号を提供することにより、スイッチングトランジスタのコレクタ電極とエミッタ電極との間の電流、電界効果トランジスタのソース電極とドレイン電極との間の電流又は電磁リレーの共通端と常時開放端との間の電流を制御して、給電回路を遮断する。
【０１０４】
好ましくは、盗難防止警報器の起動は、同様に電気制御部品を用いて制御されてもよく、例えば、電動車がロック解除状態及びモータ制御シールド状態にあるとき、目標時間閾値内に第１の予定の情報を検出していなければ、盗難防止警報器を起動する。リモコンを操作する必要がなく、操作ステップを簡略化する。
【０１０５】
本発明の実施例の上記技術手段により、電動車が連続的にロック解除状態、モータ制御シールド状態、車輪速度がゼロの状態及びスタンド立ち状態にある時間が目標時間閾値を超えた場合、電動車を自動的にロックし、これにより電動車のロックフローを簡略化し、ユーザー体験を向上させる。
【０１０６】
以下、具体的な例を参照しながら上記電動車の制御方法を説明する。本例において、電動車は、電動モーター・バイク、電動自転車、軽型電動モーター・バイクであることができる。
【０１０７】
従来の電動車の操作方式において、多くの機械的なモジュール、例えば、電源スイッチ（図２に示す電源スイッチ２１）、Ｐギヤ・ボタン（図３に示す右手側の組み合わせスイッチにおいて、車両が通電し、リモコンでロック解除した状態で、起動スイップ３１を押した後、メーターＰ灯が消灯し、車両が正常に走行できる）、リモコン（図４に示すように、サイクリストはリモコン４１及び電源スイッチのメカニカル・キー４２を携帯する必要がある）は人為的な操作を必要とするため、電動車の操作が煩雑であり、体験が悪い。また、運転者（サイクリスト）はキー及びリモコンを持ち歩く必要があり、非常に不便である。
【０１０８】
本例における電動車の制御方法は、機械的なリモコン及びキーの代わりに、電動車に近接するとロック解除を行う（ＮＦＣモジュールを備えた、例えば携帯電話、ブレスレット及びカードなどの小型モバイル装置、指紋識別、音声認識又は顔認識による）方式を採用して車両のロック、ロック解除状態、起動、停止を実現し、機械的なＰギヤ・ボタンの代わりにシート検出センサ技術を採用して、スロットルのロータリー・グリップの活性化、停止及び電動車の自動ロックを実現する。
【０１０９】
以下、本例における電動車の制御方法のフローを説明する。該電動車の制御方法は、主に以下のフローを含む。
【０１１０】
ステップ１、運転者が電動車に近接していることを検出したとき、電動車をロック解除する。
【０１１１】
運転者が電動車に近接すると、ロック解除を行う。ＮＦＣモジュール識別、指紋識別、音声認識又は顔認識技術により、電動車に近接するとロック解除を行うことを実現できる。すなわち、ＮＦＣモジュール、指紋によるロック解除、ブルートゥース（登録商標）によるロック解除、顔認識、音声認識などの技術手段により、メカニカル・キー及びリモコンを用いる技術手段を代わる。
【０１１２】
ＮＦＣモジュールの場合、電源スイッチ及びリモコンの代わりにＮＦＣモジュールを備えた小型モバイル装置（例えば、携帯電話、ブレスレット、カードなど、図５に示す）を採用して、電動車のロック解除を実現できる。
【０１１３】
対応する装置及び人の体が電動車のある部分（該部分にＮＦＣモジュール又は指紋又は音声又は映像を識別する電気制御システムが取り付けられている）に近接するか又は貼り付くと、電動車の電気制御システム（電気制御部品、電源によって給電される他の部品を含む）は対応する信号を識別し、次に自動的に通電し、電気制御システムを起動する。
【０１１４】
運転者にとって、電動車に近接すると、電動車が自動的にロック解除し、かつ盗難防止警報器を自動的にオフにすることができ、メカニカル・キー及びリモコンを携帯する必要がなく、便利で迅速である。
【０１１５】
ステップ２、運転者がシートに乗っていることを検出したとき、スロットルのロータリー・グリップを自動的に活性化する。
【０１１６】
機械的なＰギヤ・ボタンの代わりにシート検出センサを採用して、スロットルのロータリー・グリップの活性化と停止に対する自動制御を実現できる。
【０１１７】
シート検出センサの形式は様々であり、一般的に、圧力センサ、赤外線センサ、気圧センサなどである。
【０１１８】
Ｐギヤ・ボタンを代わる検出センサは、シートの下表面に取り付けられなくてもよく、ペダルの上表面、ハンドルの両側のロータリー・グリップの上表面、シートの前側の車体部分、タイヤの上表面、タイヤの裏面、緩衝器の裏面のいくつかの位置のいずれか１つ又は全てに取り付けられてもよい。具体的な取り付け位置は、必要に応じて設定できる。
【０１１９】
運転者にとって、運転者がシートに座った後、シート検出センサが信号を自動的に感知し、スロットルのロータリー・グリップを自動的に活性化し、運転者はスロットルのロータリー・グリップを正常に使用して電動車を走行させることができ、Ｐギヤ・ボタンを押す必要がない。
【０１２０】
ステップ３、スロットルのロータリー・グリップの回転を検出すると、モータを回転させるように制御し、正常に走行させる。
【０１２１】
スロットルのロータリー・グリップを活性化した後、スロットルのロータリー・グリップの回転を検出したとき、回転する制御モータの回転速度に基づいて、さらに電動車の走行速度を制御し、電動車の正常走行を保証する。
【０１２２】
運転者にとって、運転者は、スロットルのロータリー・グリップを回転させ、正常に走行させる。
【０１２３】
ステップ４、目的地に到着した後、シートから降りて駐車する（車両を自動的にロックする）。
【０１２４】
運転者が目的地に到着した後にシートから降りたと、シート検出センサにより信号を自動的に感知し、スロットルのロータリー・グリップを自動的に非活性化にするとともに、所定の時間（例えば、３〜５秒）を超えると、電動車を自動的にロックする。
【０１２５】
運転者にとって、目的地に到着した後にシートから降りたと、電動車を自動的にロックし、Ｐギヤ・ボタンを押し、電源スイッチに対応するメカニカル・キーを回転させてメカニカル・キーを引き抜き、リモコンを押して盗難防止警報器を起動する必要がない。
【０１２６】
本例の上記技術手段により、電動車に近接するとロック解除を行い（ＮＦＣモジュール識別又は指紋識別又は音声認識又は顔認識技術など）、機械的なリモコン、キー及びＰギヤ・ボタンの代わりにシート検出センサを採用し、電動車の操作方式が簡単になり、フローも簡単になり、ユーザー体験がよくなり、またコストが大幅に低下する。
【０１２７】
以上の実施形態の説明によって、当業者は、上記実施例の方法をソフトウェアに必要な汎用のハードウェアプラットフォームを結合した方式で実現できる一方、ハードウェアによって実現でき、多数の場合に前方が最も好適な実施形態であることを理解できる。このような理解に基づいて、本発明の技術手段の実質又は従来技術に貢献のある部分は、ソフトウェア製品の形態で実現される。該コンピュータソフトウェア製品は、記憶媒体（例えば、ＲＯＭ／ＲＡＭ、ディスク、ＣＤ）に記憶され、端末機器（携帯電話、コンピュータ、サーバ又はネットワーク機器などであることができる）に本発明の各実施例で説明した方法を実行させるいくつかの命令を含む。  
【０１２８】
（実施例２）
本実施例において、さらに上記実施例及び好ましい実施形態を実現する電動車を提供し、既に説明したものを省略する。以下に使用されるように、用語「モジュール」は、所定の機能を実現できるソフトウェア及び／又はハードウェアの組み合わせである。以下の実施例で説明される装置は、好ましくはソフトウェアで実現されるが、ハードウェア、又はソフトウェアとハードウェアとの組み合わせで実現されることも考えられる。
【０１２９】
図６は本発明の実施例に係る電動車の構造ブロック図であり、図６に示すように、該電動車は、
【０１３０】
電動車がロック解除状態及びモータ制御シールド状態にある場合、サイクリストが電動車に乗っていることを表示する第１の所定の情報を検出する第１の検出モジュール６２と、
第１の検出モジュール６２に接続され、電動車をモータ制御シールド状態からモータ制御シールド解除状態に切り替えるように制御する第１の制御モジュール６４と、
第１の制御モジュール６４に接続され、モータ制御シールド解除状態で所定の制御信号を受信する第１の受信モジュール６６と、
第１の受信モジュール６６に接続され、電動車のモータを所定の制御信号に応じた回転速度で回転させるように制御する第２の制御モジュール６８と、を含む。
好ましくは、上記電動車は、第１の検出モジュール６２に接続され、第１の予定の情報を検出する前に、電動車がロックされている（又は、ロック状態及びスタンド折り畳み状態にある）場合、記憶された目標アカウントにマッチングする目標情報を検出すると、電動車をロック解除するロック解除モジュールをさらに含む。
【０１３１】
好ましくは、上記電動車は、
ロック解除モジュールに接続され、電動車をロック解除する前に、電動車の第１の無線通信モジュールにより、第２の無線通信モジュールを有する目標装置が第２の無線通信モジュールによって送信した、第２の無線通信モジュールにバインディングされた参照アカウントのアカウント情報を携帯している入力信号を受信する第２の受信モジュールと、
第２の受信モジュールに接続され、アカウント情報が目標情報であると決定した場合、目標情報を検出したと決定する第１の決定モジュールと、をさらに含む。
【０１３２】
好ましくは、上記電動車は、
ロック解除モジュールに接続され、電動車をロック解除する前に、電動車の検出モジュールにより所定の検出領域内の生体特徴情報を検出する第２の検出モジュールと、
第２の検出モジュールに接続され、検出された生体特徴情報が目標情報であると決定した場合、目標情報を検出したと決定する第２の決定モジュールと、をさらに含む。
【０１３３】
好ましくは、ロック解除モジュールは、電動車をロック解除するように、電動車のスイッチ回路を用いて、電動車の電源がモータに電力を供給する給電回路を導通させる導通モジュールを含む。
【０１３４】
好ましくは、第１の検出モジュールは、電動車がロック解除状態及びモータ制御シールド状態にある場合、電動車の所定の位置に取り付けられる目標センサにより、第１の所定の情報を検出する検出ユニットを含む。
【０１３５】
好ましくは、第１の受信モジュールは、モータ制御シールド解除状態で、電動車の速度制御部品を操作することで生成された所定の制御信号を受信する受信ユニットを含む。
【０１３６】
好ましくは、上記電動車は、
第２の制御モジュールに接続され、電動車のモータを所定の制御信号に応じた回転速度で回転させるように制御した後、電動車がロック解除状態及びモータ制御シールド解除状態にある場合、サイクリストが電動車から降りたことを表示する第２の所定の情報を検出する第３の検出モジュールと、
第３の検出モジュールに接続され、電動車をモータ制御シールド解除状態からモータ制御シールド状態に切り替えるように制御する第３の制御モジュールと、をさらに含む。
【０１３７】
好ましくは、上記電動車は、第３の制御モジュールに接続され、電動車をモータ制御シールド解除状態からモータ制御シールド状態に切り替えるように制御した後、電動車が連続的にロック解除状態、モータ制御シールド状態、車輪速度がゼロの状態及びスタンド立ち状態にある時間が目標時間閾値を超えた場合、電動車をロックするロックモジュールをさらに含む。
【０１３８】
好ましくは、上記電動車は、電動車をモータ制御シールド状態からモータ制御シールド解除状態に切り替えるように制御した後、電動車の電動車状態表示灯を第１の表示状態から第２の表示状態に調整するように制御する、及び／又は、電動車が発する提示音を第１の所定の提示音から第２の所定の提示音に調整するように制御する第４の制御モジュールを含み、電動車状態表示灯が電動車のハンドルにおけるメーターの所在位置以外の位置に位置し、又は電動車状態表示灯が電動車のハンドルステムの上部に位置する。
【０１３９】
なお、上記各モジュールはソフトウェア又はハードウェアにより実現でき、後方の場合、以下の方式で実現できるが、これらに限定されない。上記モジュールがいずれも同じプロセッサに位置し、又は、上記各モジュールが任意の組み合わせの形式でそれぞれ異なるプロセッサに位置する。
【０１４０】
（実施例３）
本発明の実施例は、さらに、実行されると、上記いずれか１つの方法実施例におけるステップを実行するように構成されるコンピュータプログラムが記憶されている記憶媒体を提供する。
【０１４１】
好ましくは、本実施例において、上記記憶媒体は、
電動車がロック解除状態及びモータ制御シールド状態にある場合、サイクリストが電動車に乗っていることを表示する第１の所定の情報を検出するステップＳ１と、
電動車をモータ制御シールド状態からモータ制御シールド解除状態に切り替えるように制御するステップＳ２と、
モータ制御シールド解除状態で所定の制御信号を受信するステップＳ３と、
電動車のモータを所定の制御信号に応じた回転速度で回転させるように制御するステップＳ４と、を実行するためのコンピュータプログラムを記憶するように構成できる。
好ましくは、本実施例において、上記記憶媒体は、ＵＳＢフラッシュドライブ、リードオンリーメモリ（Ｒｅａｄ−Ｏｎｌｙ  Ｍｅｍｏｒｙ、ＲＯＭと略称する）、ランダムアクセスメモリ（Ｒａｎｄｏｍ  Ａｃｃｅｓｓ  Ｍｅｍｏｒｙ、ＲＡＭと略称する）、モバイルハードディスク、ディスク又はＣＤなどのプログラムコードを記憶可能な様々な媒体を含むが、これらに限定されない。
【０１４２】
好ましくは、本実施例の具体的な例としては、上記実施例及び好ましい実施例において説明した例を参照でき、本実施例において詳細な説明を省略する。
【０１４３】
明らかに、当業者であれば、上記本発明の各モジュール又は各ステップが汎用のコンピュータ装置で実現でき、それらが単一のコンピュータ装置に集積してもよく、複数のコンピュータ装置からなるネットワークに分布してもよく、好ましくは、それらをコンピュータ装置に実行可能なプログラムコードで実現することにより、それらを記憶装置に記憶してコンピュータ装置で実でき、また、ここでの順序と異なる順序で、示されたか又は記載されたステップを実行することも可能であり、あるいは、それらをそれぞれ個別の各集積回路モジュールに作製したり、それらのうちの複数のモジュール又はステップを単一の集積回路モジュールに作製したりして実現することも可能である。このように、本発明は、いかなる特定のハードウェアとソフトウェアの組み合わせにも限定されない。
【０１４４】
以上の記載は、本発明の好ましい実施例に過ぎず、本発明を限定するものではなく、当業者であれば、本発明に対する様々な変更と変化を行うことができる。本発明の要旨を逸脱しない範囲において行われる任意の修正、等効置換、改良などは、いずれも本発明の保護範囲内に含まれるべきである。
【図１】
2021513311.tif 000003
【図２】
2021513311.tif 000004
【図３】
2021513311.tif 000005
【図４】
2021513311.tif 000006
【図５】
2021513311.tif 000007
【図６】
2021513311.tif 000008
【国際調査報告】
2021513311.tif 000009
2021513311.tif 000010
2021513311.tif 000011
2021513311.tif 000012